(57)【要約】【課題】把持したままタッチ操作も可能であると共に、長期に亘って低コストで使用できるバーコードリーダを提供する。【解決手段】手で把持する把持部と、把持部に対して直線状、曲線状、または屈曲する直線状態に延びる長手方向に沿って連続し、バーコードにあてがわれるバーコード読取口１３を備えた先端部１２とを含むハウジング１０と、弾性を有し、先端部１２のバーコード読取口１３の周囲に、長手方向に突出するように、かつ、先端部１２から取り外し可能に、設けられるタッチスタッド２０とを有するバーコードリーダ。【選択図】図２
2019175043.tif 000002
【特許請求の範囲】
【請求項１】
バーコードを光学的に読み取ってバーコードデータを電気信号として出力するバーコードリーダであって、
手で把持する把持部と、前記把持部に対して直線状、曲線状、または屈曲する直線状態に延びる長手方向に沿って連続し、バーコードにあてがわれるバーコード読取口を備えた先端部とを含むハウジングと、
弾性を有し、前記先端部の前記バーコード読取口の周囲に、前記長手方向に突出するように、かつ、該先端部から取り外し可能に、設けられるタッチスタッドと、を有するバーコードリーダ。
【請求項２】
２本以上の前記タッチスタッドを有する請求項１に記載のバーコードリーダ。
【請求項３】
前記タッチスタッドが偶数本の場合に、偶数本の一方の該タッチスタッドと他方の該タッチスタッドとは、前記長手方向に垂直な幅方向において左右対称の位置に設けられる請求項２に記載のバーコードリーダ。
【請求項４】
弾性を有すると共に枠状を呈し、前記先端部の前記バーコード読取口の周囲に、該先端部から取り外し可能に、設けられる読取口プロテクタをさらに有し、
前記タッチスタッドは、前記読取口プロテクタを介して前記先端部の前記バーコード読取口の周囲に設けられる請求項１〜３のいずれか一項に記載のバーコードリーダ。
【請求項５】
前記先端部の前記バーコード読取口の周囲に、それぞれ前記長手方向に凹むように、かつ、互いに間隔を置いて設けられた複数のスタッド取付孔部をさらに有し、
前記タッチスタッドは、前記複数のスタッド取付孔部のうちの任意の孔部に、取り外し可能に圧入される請求項１〜３のいずれか一項に記載のバーコードリーダ。
【請求項６】
前記読取口プロテクタのうちの前記先端部の前記バーコード読取口の周囲に、それぞれ前記長手方向に凹むように、かつ、互いに間隔を置いて設けられた複数のスタッド取付孔部をさらに有し、
前記タッチスタッドは、前記複数のスタッド取付孔部のうちの任意の孔部に、取り外し可能に圧入される請求項４に記載のバーコードリーダ。
【請求項７】
前記タッチスタッドは、前記読取口プロテクタと単一物をなすように一体に設けられている請求項４に記載のバーコードリーダ。
【請求項８】
前記タッチスタッドは、前記長手方向において前記バーコードリーダのバーコードに対する合焦範囲内に収まる突出高である請求項１〜７のいずれか一項に記載のバーコードリーダ。
【請求項９】
前記タッチスタッドは、その先端が丸みを帯びた形状を呈する請求項１〜８のいずれか一項に記載のバーコードリーダ。
【請求項１０】
請求項１〜９のいずれか一項に記載のバーコードリーダと、タッチパネル付きディスプレイと、前記バーコードリーダと電気的に接続したＰＯＳ端末装置本体と、を有し、
前記タッチパネル付きディスプレイは、前記バーコードリーダの前記タッチスタッドによってタッチ操作可能であるＰＯＳ端末装置。
【発明の詳細な説明】
【技術分野】
【０００１】
本発明は、バーコードリーダおよびＰＯＳ端末装置に関する。
【背景技術】
【０００２】
ＰＯＳ（Point Of Sales）システムに用いられるＰＯＳ端末装置には、バーコードリーダを備えたものがある。バーコードリーダは、商品等に付されたバーコードからバーコードデータを読み取り、ＰＯＳ端末装置の本体に送出する装置である。尚、バーコードからのバーコードデータの読み取りとは、具体的には、バーコードを光学的に読み取り、当該バーコードが表すバーコードデータを電気信号として出力することである。バーコードリーダには、ＰＯＳ端末装置の本体に隣接して設置される据え置き型と、店員が把持して使用するハンディタイプとがある。
【０００３】
この種のバーコードリーダは、例えば、特許文献１に開示されている。
【０００４】
ＰＯＳ端末装置はまた、タッチパネル付きディスプレイを備えていることが多い。タッチパネル付きディスプレイのうち、特に、店員用のタッチパネル付きディスプレイは、精算時に、店員の目視が必要な情報を表示する一方、表示したソフトウエアボタン等に対する店員のタッチ操作を受け付け、そのタッチ操作に対応した操作データをＰＯＳ端末装置の本体に送出する装置である。尚、通常、タッチパネル付きディスプレイに対するタッチ操作としては、店員の指や、タッチパネル付きディスプレイに隣接して用意された専用のスタイラスペンを用いて行われるように設計されている。
【０００５】
ところで、バーコードリーダおよびタッチパネル付きディスプレイを備えたＰＯＳ端末装置を使用して店員が精算時に行う作業として、バーコードリーダを用いたバーコードデータの読み取りと、タッチパネル付きディスプレイを用いたタッチ操作とを連続して行うことも頻繁である。
【先行技術文献】
【特許文献】
【０００６】
【特許文献１】実用新案登録第３１６９１８９号公報
【発明の概要】
【発明が解決しようとする課題】
【０００７】
バーコードリーダがハンディタイプである場合、精算時に、店員は、一方の手でバーコードリーダのハウジングを把持する一方、他方の手でバーコードが付された商品等を把持することが多い。つまり、両手が塞がった状態である。そのバーコードデータの読み取りに連続して、前述したようにタッチパネル付きディスプレイに対するタッチ操作が必要な場合、店員は、一方の手で持ったバーコードリーダを、一旦、レジ台等の上に置き、空いた手の指、もしくは、空いた手でスタイラスペンに持ち替えてタッチ操作を行った後、再び、バーコードリーダを把持する必要がある。このようにバーコードリーダを一旦置いたり、バーコードリーダからスタイラスペンに持ち替えたり、再びバーコードリーダを把持する作業は、店員にとって負担であるし、精算処理の遅延をもたらす。
【０００８】
これに対し、特許文献１に開示されたバーコードリーダは、ハウジングの先端を先細りにした形状のタッチ部を備えているため、精算時に、バーコードリーダを一旦置いたり、バーコードリーダからスタイラスペンに持ち替える必要がないと考えられる。
【０００９】
しかし、特許文献１に開示されたものをも含め、タッチ部を備えたバーコードリーダは、一般に、スタイラスペンよりも大きく重い。そのため、バーコードリーダのハウジングに設けられた細いタッチ部がタッチパネル付きディスプレイに接触する際、比較的小さく軽いスライラスペンの接触時に比べ、強い衝撃や高い圧力を伴うと考えられる。そのため、バーコードリーダを使用していくうちに、タッチ部が摩耗したり、破損する可能性がある。タッチ部が摩耗したり、破損した場合、バーコードリーダ全体、もしくは、少なくともバーコードリーダのハウジングを交換する必要があるが、そのような交換は店員ができることではなく、バーコードリーダの販売元や製造元に交換を依頼しなければならない。その間はバーコードリーダを利用することができないし、また、タッチ部のみの摩耗や破損のためにハウジングを交換することは、コストの面でも問題がある。
【００１０】
本発明は、上記の事情に鑑みてなされたものであり、把持したままタッチ操作も可能であると共に、長期に亘って低コストで使用できるバーコードリーダを提供することを目的としている。
【００１１】
本発明の他の目的は、そのようなバーコードリーダを有するＰＯＳ端末装置を提供することである。
【課題を解決するための手段】
【００１２】
本発明によれば、バーコードを光学的に読み取ってバーコードデータを電気信号として出力するバーコードリーダであって、手で把持する把持部と、把持部に対して直線状、曲線状、または屈曲する直線状態に延びる長手方向に沿って連続し、バーコードにあてがわれるバーコード読取口を備えた先端部とを含むハウジングと、弾性を有し、先端部のバーコード読取口の周囲に、長手方向に突出するように、かつ、先端部から取り外し可能に、設けられるタッチスタッドと、を有するバーコードリーダが得られる。
【００１３】
本発明によればまた、前記バーコードリーダと、タッチパネル付きディスプレイと、バーコードリーダと電気的に接続したＰＯＳ端末装置本体と、を有し、タッチパネル付きディスプレイは、バーコードリーダのタッチスタッドによってタッチ操作可能であるＰＯＳ端末装置が得られる。
【発明の効果】
【００１４】
本発明によるバーコードリーダは、把持したままタッチ操作も可能であると共に、長期に亘って低コストで使用できる。
【図面の簡単な説明】
【００１５】
【図１】本発明の第１の実施形態によるバーコードリーダの内部構造を示す図である。
【図２】（ａ）、（ｂ）、（ｃ）、（ｄ）は、本発明の第１の実施形態によるバーコードリーダの要部の斜視図、背面図、下面図、左側面図である。
【図３】（ａ）、（ｂ）、（ｃ）、（ｄ）は、本発明の第１の実施形態の変形例によるバーコードリーダの要部の斜視図、背面図、下面図、左側面図である。
【図４】（ａ）、（ｂ）、（ｃ）、（ｄ）は、本発明の第２の実施形態によるバーコードリーダの要部の斜視図、背面図、下面図、左側面図である。
【図５】（ａ）、（ｂ）、（ｃ）、（ｄ）は、本発明の第２の実施形態の変形例によるバーコードリーダの要部の斜視図、背面図、下面図、左側面図である。
【図６】（ａ）、（ｂ）、（ｃ）、（ｄ）は、本発明の第３の実施形態によるバーコードリーダの要部の斜視図、背面図、下面図、左側面図である。
【発明を実施するための形態】
【００１６】
以下、本発明の実施形態を図面を参照して説明する。
【００１７】
図１中、符号Ｗはバーコードリーダの幅方向（左方向Ｗｌ、右方向Ｗｒを含む）を示し、符号Ｈはバーコードリーダの高さ方向（下方向Ｈｌ、上方向Ｈｕを含む）を示し、符号Ｄはバーコードリーダの奥行方向（前方向Ｄｆ、後ろ方向Ｄｒを含む）を示している。図１に示すように、バーコードリーダ１３０は屈曲した板状を呈しているが、本明細書において、バーコードリーダ１３０の長手方向とは、屈曲前乃至屈曲後を含むバーコードリーダ１３０の延在方向との意味である。
【００１８】
［第１の実施形態］
図１を参照すると、本発明の第１の実施形態によるバーコードリーダ１３０は、店員が把持して使用するハンディタイプであり、ハウジング１０を有している。ハウジング１０は、手で把持する把持部１１と、把持部１１に対して屈曲した直線状態に延びる長手方向に沿って連続した先端部１２とを有している。先端部１２は、商品等に付されたバーコードにあてがわれる、長方形状のバーコード読取口１３を備えている。バーコード読取口１３には、読取口窓７４が設けられている。読取口窓７４は、バーコードに照射される光とバーコードからの反射光を透過する一方、ハウジング１０内部への異物の侵入を遮断する。
【００１９】
ハウジング１０には、光学系７１と電気回路とが内蔵されている。
【００２０】
バーコードリーダ１３０の電気回路は、基板６１と、バーコードに投光する発光素子６３と、バーコードからの反射光（検出光）を受光して電気信号を出力する受光素子６４と、バーコードが表すバーコードデータを電気信号として出力するデータ出力部６５と、バーコードリーダ１３０の動作全般を制御する、ＣＰＵ（Central Processing Unit）を備えた制御部６２とを有している。尚、図１中、発光素子６３が孤立して描かれているが、実際には、基板６１を介して制御部６２等と電気的に接続している。データ出力部６５は、ケーブル６６を介してＰＯＳ端末装置本体１１０と接続している。尚、バーコードリーダ１３０とＰＯＳ端末装置本体１１０とは、ケーブルによる有線接続に限らず、無線通信によって接続されてもよい。
【００２１】
ＰＯＳ端末装置本体１１０には、バーコードリーダ１３０の他に、タッチパネル付きディスプレイ１２０も接続されている。また、図示はしないが、ＰＯＳ端末装置本体１１０は、ＰＯＳシステムにおけるホスト装置にも有線および／または無線で接続している。
【００２２】
バーコードリーダ１３０の光学系７１は、バーコードからの反射光の進行方向を整えるミラー７２と、ミラー７２からの反射光を収束して受光素子６４の受光面に合焦させるレンズ７３とを有している。尚、本例において、光学系７１は、フォーカス機構を持たない単焦点であるが、バーコードに対して３０ｍｍ程度の増減であれば受光素子６４に合焦するように構成されている。よって、ハウジング１０の先端をバーコードに密着させなくても、バーコードを読み取ることができる。
【００２３】
図１ならびに図２（ａ）〜（ｄ）を参照すると、本発明の第１の実施形態によるバーコードリーダは、２本のタッチスタッド２０を有している。
【００２４】
一方、図２（ｃ）に示すように、ハウジング１０は、先端部１２のバーコード読取口１３の周囲に、ハウジング１０の長手方向に凹むように、かつ、互いに間隔を置いて設けられた２箇所のスタッド取付孔部１３ｈを有している（１箇所のみ図示）。
【００２５】
タッチスタッド２０は、ハウジング１０の先端部１２のバーコード読取口１３の周囲に設けられた２箇所のスタッド取付孔部１３ｈに圧入されることにより、ハウジング１０の長手方向に突出するように、かつ、取り外し可能に設けられている。尚、タッチスタッド２０は、２箇所のスタッド取付孔部１３ｈのうちの片方のみに取り付けられてもよい。また、スタッド取付孔部自体を１箇所のみ設けるようにしてもよい。
【００２６】
タッチスタッド２０は、ゴム等から成り、弾性を有し、スタイラスペンのペン先のように先端が丸みを帯びた形状を呈している。よって、タッチスタッド２０は、タッチパネル付きディスプレイ１２０を傷付けることなく、タッチ操作可能である。また、バーコードの読み取り時に、バーコードが付された商品等を傷付けることもない。尚、タッチスタッド２０は、バーコードリーダの長手方向において、バーコードリーダのバーコードに対する合焦範囲内に収まる突出高である。
【００２７】
本発明の第１の実施形態によるバーコードリーダは、タッチパネル付きディスプレイを傷付けることなく、タッチ操作可能なタッチスタッド２０を備えているため、精算時に、バーコードリーダを用いたバーコードデータの読み取りと、タッチパネル付きディスプレイ１２０に対するタッチ操作とを連続して行う際に、バーコードリーダを一旦置いたり、バーコードリーダからスタイラスペンに持ち替える必要がない。
【００２８】
また、バーコードリーダを使用して行くうちに、タッチスタッド２０が摩耗したり、破損したとしても、予め用意しておいた新品のタッチスタッド２０に店員が交換することができる。このため、タッチスタッド２０が摩耗したり、破損した場合に、バーコードリーダ全体、もしくは、少なくともバーコードリーダのハウジング１０をその内蔵物を取り外して交換する必要がない。よって、バーコードリーダの販売元や製造元にバーコードリーダ全体、もしくは、ハウジング１０の交換を依頼する必要がなく、タッチスタッド２０の交換後は直ぐにバーコードリーダの使用を再開できるし、タッチスタッドのみの交換でよいためコストの面でも有用である。
【００２９】
［第１の実施形態の変形例］
第１の実施形態の図１を援用的に参照すると共に、図３（ａ）〜（ｄ）を参照すると、本発明の第１の実施形態の変形例によるバーコードリーダは、第１の実施形態と同様に、２本のタッチスタッド２０を有している。
【００３０】
一方、図３（ｃ）に示すように、ハウジング１０は、先端部１２のバーコード読取口１３の周囲に、ハウジング１０の長手方向に凹むように、かつ、互いに間隔を置いて設けられた１２箇所のスタッド取付孔部１３ｈを有している（１１箇所のみ図示）。
【００３１】
タッチスタッド２０は、ハウジング１０の先端部１２のバーコード読取口１３の周囲に設けられた１２箇所のスタッド取付孔部１３ｈのうち、任意の位置および任意の数のスタッド取付孔部に圧入されることにより、ハウジング１０の長手方向に突出するように、かつ、取り外し可能に設けられている。
【００３２】
タッチスタッド２０は、ゴム等から成り、弾性を有し、スタイラスペンのペン先のように先端が丸みを帯びた形状を呈している。よって、タッチスタッド２０は、タッチパネル付きディスプレイ１２０を傷付けることなく、タッチ操作可能である。また、バーコードの読み取り時に、バーコードが付された商品等を傷付けることもない。尚、タッチスタッド２０は、バーコードリーダの長手方向において、バーコードリーダのバーコードに対する合焦範囲内に収まる突出高である。
【００３３】
本発明の第１の実施形態の変形例によるバーコードリーダも、第１の実施形態と同様に、タッチパネル付きディスプレイを傷付けることなく、タッチ操作可能なタッチスタッド２０を備えているため、精算時に、バーコードリーダを用いたバーコードデータの読み取りと、タッチパネル付きディスプレイ１２０に対するタッチ操作とを連続して行う際に、バーコードリーダを一旦置いたり、バーコードリーダからスタイラスペンに持ち替える必要がない。
【００３４】
また、バーコードリーダを使用して行くうちに、タッチスタッド２０が摩耗したり、破損したとしても、予め用意しておいた新品のタッチスタッド２０に店員が交換することができる。このため、タッチスタッド２０が摩耗したり、破損した場合に、バーコードリーダ全体、もしくは、少なくともバーコードリーダのハウジング１０をその内蔵物を取り外して交換する必要がない。よって、バーコードリーダの販売元や製造元にバーコードリーダ全体、もしくは、ハウジング１０の交換を依頼する必要がなく、タッチスタッド２０の交換後は直ぐにバーコードリーダの使用を再開できるし、タッチスタッドのみの交換でよいためコストの面でも有用である。
【００３５】
さらに、第１の実施形態の変形例によるバーコードリーダは、任意の位置に、任意の本数のタッチスタッドを取り付けることができるため、バーコードリーダの使用者毎の利き腕等、使用状況に応じた使い勝手のよい位置および本数でタッチスタッドを設けることができる。
【００３６】
［第２の実施形態］
本発明の第２の実施形態によるバーコードリーダは、読取口プロテクタを有する点で第１の実施形態のバーコードリーダとは異なる。それ以外の構成については、第１の実施形態と同様であるため、必要に応じて第１の実施形態の図１および説明を援用することとし、詳細な説明は省略する。
【００３７】
第１の実施形態の図１を援用的に参照すると共に、図４（ａ）〜（ｄ）を参照すると、本発明の第２の実施形態によるバーコードリーダは、２本のタッチスタッド２０を有している。
【００３８】
一方、ハウジング１０の先端部１２のバーコード読取口１３の周囲には、読取口プロテクタ３５が先端部１２から取り外し可能に設けられている。読取口プロテクタ３５は、ハウジング１０の長手方向に凹むように、かつ、互いに間隔を置いて設けられた２箇所のスタッド取付孔部３５ｈを有している（１箇所のみ図示）。
【００３９】
タッチスタッド２０は、読取口プロテクタ３５に設けられた２箇所のスタッド取付孔部３５ｈに圧入されることにより、ハウジング１０の長手方向に突出するように、かつ、取り外し可能に設けられている。尚、タッチスタッド２０は、２箇所のスタッド取付孔部３５ｈのうちの片方のみに取り付けられてもよい。また、スタッド取付孔部自体を１箇所のみ設けるようにしてもよい。
【００４０】
タッチスタッド２０は、ゴム等から成り、弾性を有し、スタイラスペンのペン先のように先端が丸みを帯びた形状を呈している。よって、タッチスタッド２０は、タッチパネル付きディスプレイ１２０を傷付けることなく、タッチ操作可能である。また、バーコードの読み取り時に、バーコードが付された商品等を傷付けることもない。
【００４１】
尚、タッチスタッド２０は、バーコードリーダの長手方向において、バーコードリーダのバーコードに対する合焦範囲内に収まる突出高である。
【００４２】
本発明の第２の実施形態によるバーコードリーダは、タッチパネル付きディスプレイを傷付けることなく、タッチ操作可能なタッチスタッド２０を備えているため、精算時に、バーコードリーダを用いたバーコードデータの読み取りと、タッチパネル付きディスプレイ１２０に対するタッチ操作とを連続して行う際に、バーコードリーダを一旦置いたり、バーコードリーダからスタイラスペンに持ち替える必要がない。
【００４３】
また、バーコードリーダを使用して行くうちに、タッチスタッド２０が摩耗したり、破損したとしても、予め用意しておいた新品のタッチスタッド２０に店員が交換することができる。このため、タッチスタッド２０が摩耗したり、破損した場合に、バーコードリーダ全体、もしくは、少なくともバーコードリーダのハウジング１０をその内蔵物を取り外して交換する必要がない。よって、バーコードリーダの販売元や製造元にバーコードリーダ全体、もしくは、ハウジング１０の交換を依頼する必要がなく、タッチスタッド２０の交換後は直ぐにバーコードリーダの使用を再開できるし、タッチスタッドのみの交換でよいためコストの面でも有用である。
【００４４】
さらに、読取口プロテクタ３５は、ゴム等から成り、弾性を有している。よって、バーコードの読み取り時に、バーコードが付された商品等を傷付けることがない。また、タッチスタッド２０によってタッチパネル付きディスプレイ１２０をタッチ操作する際に、誤って読取口プロテクタ３５がタッチパネル付きディスプレイ１２０に接触したとしても、タッチパネル付きディスプレイ１２０を傷付けることがない。
【００４５】
［第２の実施形態の変形例］
第１の実施形態の図１を援用的に参照すると共に、図５（ａ）〜（ｄ）を参照すると、本発明の第２の実施形態の変形例によるバーコードリーダは、第２の実施形態と同様に、２本のタッチスタッド２０とを有している。
【００４６】
一方、ハウジング１０の先端部１２のバーコード読取口１３の周囲には、読取口プロテクタ３６が先端部１２から取り外し可能に設けられている。さらに、図５（ｃ）に示すように、読取口プロテクタ３６は、先端部１２のバーコード読取口１３の周囲に、ハウジング１０の長手方向に凹むように、かつ、互いに間隔を置いて設けられた１２箇所のスタッド取付孔部３６ｈを有している（１１箇所のみ図示）。
【００４７】
タッチスタッド２０は、ハウジング１０の先端部１２のバーコード読取口１３の周囲に設けられた１２箇所のスタッド取付孔部３６ｈのうち、任意の位置および任意の数のスタッド取付孔部に圧入されることにより、ハウジング１０の長手方向に突出するように、かつ、取り外し可能に設けられている。
【００４８】
タッチスタッド２０は、ゴム等から成り、弾性を有し、スタイラスペンのペン先のように先端が丸みを帯びた形状を呈している。よって、タッチスタッド２０は、タッチパネル付きディスプレイ１２０を傷付けることなく、タッチ操作可能である。また、バーコードの読み取り時に、バーコードが付された商品等を傷付けることもない。尚、タッチスタッド２０は、バーコードリーダの長手方向において、バーコードリーダのバーコードに対する合焦範囲内に収まる突出高である。
【００４９】
本発明の第２の実施形態の変形例によるバーコードリーダも、第２の実施形態と同様に、タッチパネル付きディスプレイを傷付けることなく、タッチ操作可能なタッチスタッド２０を備えているため、精算時に、バーコードリーダを用いたバーコードデータの読み取りと、タッチパネル付きディスプレイ１２０に対するタッチ操作とを連続して行う際に、バーコードリーダを一旦置いたり、バーコードリーダからスタイラスペンに持ち替える必要がない。
【００５０】
また、バーコードリーダを使用して行くうちに、タッチスタッド２０が摩耗したり、破損したとしても、予め用意しておいた新品のタッチスタッド２０に店員が交換することができる。このため、タッチスタッド２０が摩耗したり、破損した場合に、バーコードリーダ全体、もしくは、少なくともバーコードリーダのハウジング１０をその内蔵物を取り外して交換する必要がない。よって、バーコードリーダの販売元や製造元にバーコードリーダ全体、もしくは、ハウジング１０の交換を依頼する必要がなく、タッチスタッド２０の交換後は直ぐにバーコードリーダの使用を再開できるし、タッチスタッドのみの交換でよいためコストの面でも有用である。
【００５１】
さらに、第２の実施形態の変形例によるバーコードリーダは、任意の位置に、任意の本数のタッチスタッドを取り付けることができるため、バーコードリーダの使用者毎の利き腕等、使用状況に応じた使い勝手のよい位置および本数でタッチスタッドを設けることができる。
【００５２】
さらにまた、第２の実施形態の変形例によるバーコードリーダは、読取口プロテクタ３６がゴム等から成り、弾性を有しているため、バーコードの読み取り時に、バーコードが付された商品等を傷付けることがない。また、タッチスタッド２０によってタッチパネル付きディスプレイ１２０をタッチ操作する際に、誤って読取口プロテクタ３６がタッチパネル付きディスプレイ１２０に接触したとしても、タッチパネル付きディスプレイ１２０を傷付けることがない。
【００５３】
［第３の実施形態］
本発明の第３の実施形態によるバーコードリーダは、タッチスタッドが読取口プロテクタと単一物をなすように一体に設けられている点で第２の実施形態のバーコードリーダとは異なる。それ以外の構成については、第２の実施形態と同様であるため、必要に応じて第１および第２の実施形態の図面および説明を援用することとし、詳細な説明は省略する。
【００５４】
第１の実施形態の図１を援用的に参照すると共に、図６（ａ）〜（ｄ）を参照すると、本発明の第３の実施形態によるバーコードリーダは、２本のタッチスタッド３０Ｐを有している。
【００５５】
一方、ハウジング１０の先端部１２のバーコード読取口１３の周囲には、読取口プロテクタ３０が先端部１２から取り外し可能に設けられている。
【００５６】
読取口プロテクタ３０は、それぞれハウジング１０の長手方向に突出する２本のタッチスタッド３０Ｐを、一体に有している。尚、タッチスタッド３０Ｐは、１本もしくは３本以上設けられてもよい。
【００５７】
タッチスタッド３０Ｐは、読取口プロテクタ３０ごとハウジング１０の先端部１２から取り外し可能である。
【００５８】
タッチスタッド３０Ｐをも含め、読取口プロテクタ３０は、ゴム等から成り、弾性を有している。また、タッチスタッド３０Ｐは、スタイラスペンのペン先のように先端が丸みを帯びた形状を呈している。よって、タッチスタッド３０Ｐは、タッチパネル付きディスプレイ１２０を傷付けることなく、タッチ操作可能である。また、バーコードの読み取り時に、バーコードが付された商品等を傷付けることもない。
【００５９】
尚、タッチスタッド３０Ｐは、バーコードリーダの長手方向において、バーコードリーダのバーコードに対する合焦範囲内に収まる突出高である。
【００６０】
本発明の第３の実施形態によるバーコードリーダは、タッチパネル付きディスプレイを傷付けることなく、タッチ操作可能なタッチスタッド３０Ｐを備えているため、精算時に、バーコードリーダを用いたバーコードデータの読み取りと、タッチパネル付きディスプレイ１２０に対するタッチ操作とを連続して行う際に、バーコードリーダを一旦置いたり、バーコードリーダからスタイラスペンに持ち替える必要がない。
【００６１】
また、バーコードリーダを使用して行くうちに、タッチスタッド３０Ｐが摩耗したり、破損したとしても、予め用意しておいた新品の読取口プロテクタ３０に店員が交換することができる。このため、タッチスタッド３０Ｐが摩耗したり、破損した場合に、バーコードリーダ全体、もしくは、少なくともバーコードリーダのハウジング１０をその内蔵物を取り外して交換する必要がない。よって、バーコードリーダの販売元や製造元にバーコードリーダ全体、もしくは、ハウジング１０の交換を依頼する必要がなく、読取口プロテクタ３０の交換後は直ぐにバーコードリーダの使用を再開できるし、タッチスタッドのみの交換でよいためコストの面でも有用である。
【００６２】
さらに、タッチスタッド３０Ｐをも含め、読取口プロテクタ３０全体がゴム等から成り、弾性を有しているため、バーコードの読み取り時に、バーコードが付された商品等を傷付けることがない。また、タッチスタッド３０Ｐによってタッチパネル付きディスプレイ１２０をタッチ操作する際に、誤って読取口プロテクタ３０の本体がタッチパネル付きディスプレイ１２０に接触したとしても、タッチパネル付きディスプレイ１２０を傷付けることがない。
【符号の説明】
【００６３】
１０    ハウジング
１１    把持部
１２    先端部
１３    バーコード読取口
１３ｈ  スタッド取付孔部
２０    タッチスタッド
３０、３５、３６    読取口プロテクタ
３０Ｐ  タッチスタッド
３５ｈ、３６ｈ  スタッド取付孔部
６１    基板
６２    制御部
６３    発光素子
６４    受光素子
６５    データ出力部
６６    ケーブル
７１    光学系
７２    ミラー
７３    レンズ
７４    読取口窓
１１０    ＰＯＳ端末装置本体
１２０    タッチパネル付きディスプレイ
１３０    バーコードリーダ
【図１】
2019175043.tif 000003
【図２】
2019175043.tif 000004
【図３】
2019175043.tif 000005
【図４】
2019175043.tif 000006
【図５】
2019175043.tif 000007
【図６】
2019175043.tif 000008